(57)【特許請求の範囲】
【請求項１】
光学記録媒体に対して情報信号の記録及び／又は再生を行う光学ピックアップ装置であって、
上記光学記録媒体の半径方向に移動可能なスライドベースと、
上記光学記録媒体に対してレーザ光を出射する光源と、
上記光源から出射されたレーザ光を上記光学記録媒体に集光させる対物レンズと、
上記光学記録媒体で反射された反射光を検出する光検出器と、
上記光検出器を保持する検出器ホルダと、
上記検出器ホルダが固定される調整ホルダと、
上記調整ホルダを押圧して上記光検出器を上記スライドベースに支持する押え板部を有すると共に上記スライドベースの光通路を閉塞するカバープレートと、を設け、
上記調整ホルダは上記反射光の光路方向に延びる支持軸を有し、当該支持軸は円筒形状からなり且つ軸方向に展開される２つの互いに略平行をなす平面部を備え、
上記スライドベースはＶ字状で平面の軸受部を有し、当該Ｖ字状で平面の軸受部にて上記支持軸の円筒部を受け上記調整ホルダの上記平面部の一方を上記カバープレートの押え板部にて押圧し上記調整ホルダを介して光検出器を上記反射光の光路方向に位置調整可能に支持したことを特徴と光学ピックアップ装置。
【発明の詳細な説明】
【０００１】
【発明の属する技術分野】
本発明は、光ディスクや光磁気ディスク等の光学記録媒体を用いて情報信号の記録（書き込み）及び／又は再生（読み取り）を行う光記録再生装置の光学ピックアップ装置に関し、特に、光学記録媒体で反射されて対物レンズより戻される反射光を検出するための光検出器の取付構造に関するものである。
【０００２】
【従来の技術】
従来、一般に、再生専用の光ディスクや記録及び再生の可能な光磁気ディスク等と言った光学ディスクを光学記録媒体として使用して情報信号の記録及び／又は再生を行う光ディスク装置では、スピンドルモータの回転軸に取り付けられたディスクテーブルに光学ディスクを装着して回転駆動する一方、このスピンドルモータに対して光学ピックアップ装置の光学ヘッドを接近及び離反可能に構成している。そして、光学ヘッドの対物レンズからレーザ光を光学ディスクの情報記録面に垂直に照射し、この対物レンズを光学ディスクの情報記録面に沿って半径方向内側から外側に移動させることにより、その情報記録面に情報信号を記録したりこの情報記録面に記録されている情報信号を再生するようにしている。
【０００３】
このような光ディスク装置における光学ピックアップ装置の光学系は、例えば図９及び図１０に示すように、スライドベース１に配設された半導体レーザ２、グレーティング３、ビームスプリッタ板４、プリズムミラー５、対物レンズ６、マルチレンズ７及び光検出器８等によって構成されている。半導体レーザ２から発射されたレーザ光は、グレーティング３、ビームスプリッタ板４及びプリズムミラー５を介して対物レンズ６に入力され、この対物レンズ６で集光されて光学ディスクＤの情報記録面に焦点合わせされる。そして、情報記録面で反射されたレーザ光は、対物レンズ６を通過してプリズムミラー５で９０°方向変換され、ビームスプリッタ板４で再び９０°方向変換されてマルチレンズ７を通過し、フォトダイオードからなる光検出器８に入力されて、この光検出器８から所定の情報信号として出力される構成となっている。
【０００４】
このような光学ピックアップ装置における従来の光検出器取付構造としては、例えば、図１１に示すような構造のものが知られている。同図中符号１０は、Ｕ字状に湾曲形成された板バネであり、この板バネ１０の一方の固定片１０ａには他方の可動片１０ｂ側に突出するように折曲形成されたネジ受片１０ｃが設けられている。この板バネ１０の可動片１０ｂには検出器ホルダ１１が固定されており、この検出器ホルダ１１の外側に光検出器８が固定されている。このように、光検出器８は、その面方向に展開される直交する２軸（以下「ＸＹ軸」という。）方向に対しては、予め所定の位置調整を行った後に接着剤で固定されて調整が不可の状態とされている。
【０００５】
このように光検出器８が取り付けられた板バネ１０は、複数本の固定ネジ１２で固定片１０ａを締め付けることによってスライドベース１に取り付けられている。この板バネ１０の可動片１０ｂには調整ネジ１３のネジ部が挿通されており、そのネジ部の先部はネジ受片１０ｃに設けられたネジ穴に螺合されている。この調整ネジ１３を右又は左に回すことにより、同図において二点鎖線で示すように、固定片１０ａと可動片１０ｂとを連結する連結部１０ｄを中心として可動片１０ｂがネジ受片１０ｃに対して接近又は離反される。これにより、光検出器８を、これに入力される反射光の光軸（以下「Ｚ軸」という。）方向に進退させて、フォーカス方向の位置調整を行う構成となっている。
【０００６】
【発明が解決しようとする課題】
しかしながら、上述したような従来の光学ピックアップ装置においては、調整ネジ１３を回して板バネ１０の可動片１０ｂを連結部１０ｄを中心に回動させ、この可動片１０ｂに固定されている光検出器１０をＺ軸方向に回動変位させてフォーカス方向の位置調整を行う構成になっていた。そのため、可動片１０ｂの回動量を微調整できるようにするためにはそのスパンを長く取る必要があることから大きな板バネ１０が必要とされ、その設置のために広いスペースが必要であるばかりでなく、調整ネジ１３の回動量に応じて光検出器１０の光軸の角度が変動してしまい、光検出器１０の光検出精度が低下すると共に、そのＺ軸方向の調整がＸ軸方向の精度にも影響し、その影響が大きくなるとＸ軸方向の再調整が必要になるという課題があった。
【０００７】
本発明は、かかる従来の課題に鑑みてなされたものであり、光検出器を保持するホルダをその光検出器の光軸方向であるＺ軸方向に直線的に移動調整できる構成とすることにより、上記課題を解決することを目的としている。
【０００８】
【課題を解決するための手段】
本発明の光学ピックアップ装置は、上述したような課題等を解決し、上記目的を達成するために、光学記録媒体に対して情報信号の記録及び／又は再生を行う光学ピックアップ装置であって、光学記録媒体の半径方向に移動可能なスライドベースと、光学記録媒体に対してレーザ光を出射する光源と、その光源から出射されたレーザ光を光学記録媒体に集光させる対物レンズと、光学記録媒体で反射された反射光を検出する光検出器と、その光検出器を保持する検出器ホルダと、その検出器ホルダが固定される調整ホルダと、その調整ホルダを押圧して光検出器をスライドベースに支持する押え板部を有すると共にスライドベースの光通路を閉塞するカバープレートと、を設け、調整ホルダは反射光の光路方向に延びる支持軸を有し、その支持軸は円筒形状からなり且つ軸方向に展開される２つの互いに略平行をなす平面部を備え、スライドベースはＶ字状で平面の軸受部を有し、そのＶ字状で平面の軸受部にて支持軸の円筒部を受け調整ホルダの平面部の一方をカバープレートの押え板部にて押圧し調整ホルダを介して光検出器を上記反射光の光路方向に位置調整可能に支持したことを特徴としている。
【０００９】
本発明は、上述のように構成したことにより、調整ホルダの取付位置を反射光の光路方向に調整することにより、光路方向と直交する方向に影響を与えることなくこの調整を独立して行うことができ、その調整精度の向上と調整時間の大幅な短縮化を図ることができる。
【００１０】
【発明の実施の形態】
以下、本発明の実施の形態を図面を参照して説明する。図１〜図８は、本発明の実施の一例を示すもので、光学記録媒体として光磁気ディスクを用いて情報信号の記録（書き込み）及び／又は再生（読み取り）を行う光記録再生装置の一具体例を示す光磁気記録再生装置に用いて好適な光磁気ピックアップ装置に適用したものである。
【００１１】
図１は、光磁気ピックアップ装置の全体構成を示すもので、この光磁気ピックアップ装置Ａは、光磁気ディスクの情報記録面に対してレーザ光を照射する対物レンズ１７を有する光学ピックアップ１５と、光磁気ディスクの情報記録面に対して所定の外部磁界を印加する磁界印加ヘッドをスライダに組み込んでなるオーバーライトヘッドとしての磁気ヘッド１６等を備えている。そして、光学ピックアップ１５と磁気ヘッド１６とは、光磁気ディスクを上下から挟むように上下方向に対向され、保持装置１８に取り付けられて一体的に移動するように構成されている。
【００１２】
即ち、光学ピックアップ１５は、互いに平行に設けられた２本のガイド軸１９ａ，１９ｂにガイドされて光磁気ディスクの半径方向に摺動するスライドベース２０と、このスライドベース２０に取り付けられて対物レンズ１７を２軸方向へ揺動可能に駆動する２軸デバイスと呼ばれる２軸アクチュエータ２１と、光源としての半導体レーザ２２と、この半導体レーザ２２から発射されたレーザ光を集光して光学記録媒体としての光磁気ディスクの情報記録面に照射すると共にその情報記録面から反射してきたレーザ光を光検出器２３にて受光させる光学系要素２４等を備えている。
【００１３】
スライドベース２０は、図２及び図３に示すように、長手方向の一側に設けられ且つ２軸アクチュエータ２１が収容される凹陥部２５と、長手方向の他側に設けられ且つ半導体レーザ２２から発射されたレーザ光を光学系要素２４に通過させる光通路２６とを設けた板状体からなる。このスライドベース２０の凹陥部２５の長手方向外側には、ベアリング付きガイド孔２７を有する一対の軸受片２０ａ，２０ａが設けられており、この一対の軸受片２０ａ，２０ａは長手方向と交差する幅方向に所定の間隔をあけて平行に配置されている。そして、スライドベース２０の光通路２６の長手方向外側には、ガイド溝２８を有する軸受片２０ｂが設けられている。
【００１４】
このスライドベース２０のベアリング付きガイド孔２７には一方のガイド軸１９ａが摺動可能に挿通されていると共に、ガイド溝２８には一方のガイド軸１９ａと平行に設けられた他方のガイド軸１９ｂが摺動可能に係合されている。そして、スライドベース２０は両ガイド軸１９ａ，１９ｂにガイドされて、図示しないスライド送り機構の作動により光磁気ディスクの半径方向に移動可能に構成されている。
【００１５】
このスライドベース２０の凹陥部２５内に収納される２軸アクチュエータ２１は、対物レンズ１７をフォーカス方向（上下方向）及びトラッキング方向（横方向）に独立に動かすことができるアクチュエータであって、駆動力には電磁力が用いられている。この２軸アクチュエータ２１は板バネ方式の支持機構からなるもので、板バネの弾性によって機械的中立点が形成されている。そして、対物レンズと駆動コイルの付いた可動部が一対の板バネを介して固定部に支持されている。
【００１６】
この２軸アクチュエータ２１は、図５等に示すように、スライドベース２０の凹陥部２５内に取付ねじで固定されるアクチュエータベース３０と、このアクチュエータベース３０に固定された２軸支持体３１と、この２軸支持体３１の両側部に基端がそれぞれ固定される上下２本が左右に配された合計４本の板バネからなるバネワイヤ３２ａ，３２ｂと、これらバネワイヤ３２ａ，３２ｂの先端に固定支持されたレンズホルダ３３とを有している。そして、このレンズホルダ３３に対物レンズ１７がその光軸を上下方向に向けた状態で取り付けられている。
【００１７】
また、アクチュエータベース３０は、コ字状をなす２個のベース片３０ａ，３０ｂをハンダで結合することによって形成された四角形の枠体からなり、一方のベース片３０ａ上には２軸支持体３１が固定され、他方のベース片３０ｂには、その幅方向に所定の隙間をあけてそれぞれ両側部を立ち上げるようにして一対のヨーク３４ａ，３４ｂが設けられている。これらヨーク３４ａ，３４ｂ間は、これらに掛け渡されたヨークプレート３５によって所定の隙間に保持されていると共に、各ヨーク３４ａ，３４ｂの内側にはマグネット３６ａ，３６ｂが取り付けられている。
【００１８】
更に、一方のヨーク３４ａには、レンズホルダ３３の基部に取り付けられたボビン３７が緩やかに嵌め合わされている。このボビン３７は四角形の筒状体からなり、その外周面にはフォーカスコイル３８が、そのコイル中心を上下方向へ向けた状態で巻回されている。そして、このフォーカスコイル３８の外側には、各ヨーク３４ａ，３４ｂの内側に固定されたマグネット３６ａ，３６ｂ間に介在するよう横並びに一対のトラッキングコイル３９が接着剤等の固着手段によって取り付けられている。尚、レンズホルダ３３に保持された対物レンズ１７は、プラスチックスで一体成形された非球面レンズによって形成されている。
【００１９】
このような構成を有する２軸アクチュエータ２１は、図１〜図３に示すように、対物レンズ１７がスライドベース２０の略中央部に位置するように凹陥部２５内に配置されている。この凹陥部２５は、一部を残してスライドベース２０の上下両面を貫通するように設けられていると共に、光学系要素２４が配置される光通路２６と連通されている。この光通路２６は、スライドベース２０を長手方向に延びて対物レンズ１７と半導体レーザ２２との間にレーザ光を通過させる長手方向溝２６ａと、この長手方向溝２６ａの中途部においてこれと直交する幅方向に延びる幅方向溝２６ｂとからなり、両溝２６ａ，２６ｂの大部分はスライドベース２０の下面側に開口するように設けられている。
【００２０】
この光通路２６に対して半導体レーザ２２、光検出器２３及び光学系要素２４は、図６に示すような位置関係となるように配置され、図３に示すようにレーザ光の透過が可能な状態でスライドベース２０に取り付けられている。即ち、半導体レーザ２２は、凹陥部２５とは反対側のスライドベース２６の端部に接着剤等の固着手段によって取り付けられており、その外側には軸受片２０ｂが配置されている。この半導体レーザ２２から発射されるレーザ光は、光通路２６に配置された光学系要素２４を通って対物レンズ１７から光磁気ディスクに照射され、その情報記録面からの反射光は、対物レンズ１７から光学系要素２４に戻されて光検出器２３に到達することになる。
【００２１】
この光学系要素２４は、グレーティング４０とビームスプリッタ板４１とプリズムミラー４２とマルチレンズ４３と対物レンズ１７等から構成されている。そして、半導体レーザ２２のレーザ光の発射口の前方にはグレーティング４０が配置されており、この半導体レーザ２２から対物レンズ１７に向かって順に、グレーティング４０、ビームスプリッタ板４１、マルチレンズ４３及びプリズムミラー４２が配置されている。
【００２２】
グレーティング４０は、１つのレーザ光から０次光（主ビーム）とプラス・マイナス１次光（副ビーム）とのスリービームを発生させるためのもので、±１次光をトラッキングエラー検出用に用い、光磁気ディスクの情報記録面にトラッキング誤差信号用の３つのスポットを形成するものである。このグレーティング４０は、格子ホルダ４５によって保持されており、この格子ホルダ４５を介してスライドベース２０に取り付けられている。この格子ホルダ４５の材質としてはエンジニアリングプラスチック（例えば、ＡＢＳ、ポリアセタール、ポリカーボネート等）が好適であるが、他の合成樹脂を用いることもできる。
【００２３】
この格子ホルダ４５は、横長の四角形とされたブロック状の部材からなり、その横方向の一側には調整アーム４５ａが設けられており、その調整アーム４５ａは略一定の厚みで先細となるように形成されている。この格子ホルダ４５の調整アーム４５ａの表裏両面には、この格子ホルダ４５自体が持つ弾性によってスライドベース２０に摩擦支持するための一対の摩擦突起４７ａ，４７ｂが設けられている。この一対の摩擦突起４７ａ，４７ｂは、一方の摩擦突起４７ａがグレーティング４０に近い内側に設定され、他方の摩擦突起４７ｂが調整アーム４５ａの先端側に設定されている。
【００２４】
また、格子ホルダ４５の調整アーム４５ａと反対側の側面には、格子ホルダ４５を回動させるための回動中心となるＶ溝が設けられている。このＶ溝の底面が１つの受圧面を形成しており、従って、この格子ホルダ４５はＶ溝と２つの摩擦突起４７ａ，４７ｂとの３箇所でスライドベース２０に支持されている。
【００２５】
このような構成を有する格子ホルダ４５は、その調整アーム４５ａをスライドベース２０の光通路２６に設けられた切欠き部５０に圧入すると共に、同じく光通路２６に設けられた支持凸部５１に係合することにより、スライドベース２０に取り付けられる。そして、支持凸部５１による支持力と、一対の摩擦突起４７ａ，４７ｂと切欠き部５０の壁面との間に生ずる摩擦力とによって格子ホルダ４５が姿勢変更可能に支持され、その摩擦力に抗して調整アーム４５ａを押圧することにより、支持凸部５１に係合されるＶ溝を回転中心として格子ホルダ４５が回動される。その結果、格子ホルダ４５に保持されているグレーティング４０の姿勢が変更され、そのグレーティング４０の取付状態が回転調整されることになる。
【００２６】
また、ビームスプリッタ板４１は、光磁気ディスクからの反射光を異なった方向に変えるもので、薄い平行平板のガラス部材からなっている。この実施の例に係るビームスプリッタ板４１は、往路の透過時に発生する非点収差をフォーカス誤差信号の検出に利用し、復路では反射ミラーとして用いている。従って、このビームスプリッタ板４１は、半導体レーザ２２からの往路光をそのまま通過させる一方、光磁気ディスクからの復路光を９０°方向変換させるため、半導体レーザ２２からのレーザ光に対して４５°傾くように配置されている。このビームスプリッタ板４１の一端は、クリップ部材５２によってスライドベース２０の固定壁５３に挟持されて固定されている。
【００２７】
プリズムミラー４２は、半導体レーザ２２の光軸と対物レンズ１７の光軸とが直角に交わる位置に設けられており、半導体レーザ２２から発射されたレーザ光を９０°屈折させて上方に位置する対物レンズ１７に導いている。この対物レンズ１７は、半導体レーザ２２からのレーザ光の焦点を光磁気ディスクの情報記録面上に結ぶように設定されていると共に、その情報記録面で反射されて対物レンズ１７に戻された反射光を、往路と逆行させてプリズムミラー４２に導いている。そして、プリズムミラー４２で９０°屈折されたレーザ光は、ビームスプリッタ板４１に入力される。
【００２８】
このビームスプリッタ板４１の一側には、その光軸が半導体レーザ２２の光軸と直角に交わるように配置されたマルチレンズ４３が設けられている。このマルチレンズ４３は、レンズホルダ５５に保持されたウォラストンプリズム５６とシリンドリカルレンズ５７とを有し、これらは所定の隙間をあけて直列に配置されていて、レンズホルダ５５を介してスライドベース２０に固定されている。このマルチレンズ４３を通過するレーザ光は、シリンドリカルレンズ５７の焦点上に配置されたフォトダイオード等からなる光検出器２３によって検出される。
【００２９】
光検出器２３は接着剤等の固着手段によって検出器ホルダ５８に固定され、その検出器ホルダ５８は同じく接着剤等の固着手段によって調整ホルダ５９に固定されている。図７に示すように、光検出器２３は、正面にミラーが装着された矩形パッケージを有する検出器本体２３ａと、この検出器本体２３ａの両側から突出された多数の電極端子２３ｂとを有し、その正面に検出器ホルダ５８が接着剤によって固定されている。
【００３０】
この検出器ホルダ５８は、横方向に長い四角形の板状体からなり、その中央部にはレーザ光が通過する貫通穴７５が設けられている。そして、光検出器２３と対面する側の面には、検出器本体２３ａの正面側が嵌合される凹部５８ａが設けられており、この凹部５８ａによって光検出器２３の位置決めを行うようにしている。この検出器ホルダ５８の凹部５８ａと反対側の面に調整ホルダ５９が接着剤によって固定されている。
【００３１】
この調整ホルダ５９は、検出器ホルダ５８よりも若干横長に形成された薄板状の固定板５９ａと、この固定板５９ａの中央部に軸方向の一端が固定された支持軸である筒軸体５９ｂとからなり、これらの中央部にはレーザ光が通過する貫通穴７６が設けられている。この調整ホルダ５９の筒軸体５９ｂは、固定板５９ａの長手方向と交差する方向の二面を切除することによって上下方向の厚みを薄くすると共に、後述するカバープレートを当接させて締付固定するための平面部５９ｃを形成している。
【００３２】
この調整ホルダ５９の筒軸体５９ｂは、スライドベース２０に設けられたＶ字状で平面の軸受部を有する取付穴７７に嵌合される。この取付穴７７は、図８に断面して示すように、断面円弧状をなす上半部７７ａと、断面Ｖ字状をなす軸受部である下半部７ｂとからなり、上半部７７ａの上部は外部に開口されている一方、下半部７７ｂの下部は平面とされて薄肉部分が設定されている。この取付穴７７の下半部７ｂには筒軸体５９ｂの下面側の左右２箇所が接触されると共に、上半部７７ａの開口部には筒軸体５９ｂの上面側の平面部５９ｃが露出され、この平面部５９ｃを押え板で押圧することによって調整ホルダ５９がスライドベース２０に固定される。そして、取付穴７７の上半部７７ａ及び下半部７７ｂの形状はその穴方向に連続されており、従って、筒軸体５９ｂをその軸方向に移動させることができると共に、その軸方向の任意の位置で調整ホルダ５９を締付固定することができる。
【００３３】
この調整ホルダ５９を固定するカバープレート６０は、図４に示すように、光通路２６の開口側を閉じることを主たる目的とするもので、その他にも上述したような調整ホルダ５９の軸部を押圧して固定する等の役割をも有している。このカバープレート６０は、光通路２６の略全体を覆うことができる広さを有する薄板体からなり、この光通路２６の幅方向溝２６ｂの一部を露出させるために開口部６０ａを形成し、その外側に筒軸体５９ｂの平面部５９ｃを押圧するための押え板部である押え板６０ｂが設けられている。この押え板６０ｂの一側に配置された固定ネジの締付力と、このカバープレート６０の外周縁の複数箇所に設けられた図に現れない複数の脚体片による係合力とによってカバープレート６０がスライドベース２０に取り付けられている。
【００３４】
この調整ホルダ５９を介して検出器ホルダ５８に固定される光検出器２３は、これよりもやや大きくて所定の配線パターンが設けられた配線基板６１に搭載されており、その配線基板６１の一側にはフレキシブルプリント配線板６２の一端が連結されている。このフレキシブルプリント配線板６２の他側は複数に分岐され、このフレキシブルプリント配線板６２を介して２軸アクチュエータ２１のフォーカスコイル３８及びトラッキングコイル３９や半導体レーザ２２等と電気的に接続されている。
【００３５】
このような構成を有する光学ピックアップ１５と磁気ヘッド１６とを保持する保持装置１８は、図１に示すように、側面から見た形状が略コ字状をなすブラケット６４を有し、このブラケット６４の上面部６４ａに支持プレート６５が片持状に支持されて略水平に取り付けられている。この支持プレート６５には、例えばジンバルばねからなるサスペンション６６の基端が固定されており、その先端には上述した磁気ヘッド１６が取り付けられている。この支持プレート６５の下方には支持レバー６７が配置されており、この支持レバー６７の基端両側に突出して設けた軸突起６７ａが、ブラケット６４の垂直面部６４ｂの両側に形成された軸受部６４ｃによって上下方向へ回動可能に軸支されている。
【００３６】
この支持レバー６７は、ブラケット６４との間に介装されているトーションスプリング６８によって常時下方へ回動付勢され、その水平面部６７ｂの先端部６７ｃがサスペンション６６から離隔されるように偏倚されている。更に、支持レバー６７の水平面部６７ｂの略中央部には突当ねじピン６９が螺合固定されており、その頭部が水平面部６７ｂ側に突出されている。この突当ねじピン６９は、その突出量を調節できるようになっている。
【００３７】
また、ブラケット６４には、光学ピックアップ１５を移動操作するためのステッピングモータ７０の回転ねじ軸７１に螺合されるねじ軸受７２が取り付けられている。そして、ブラケット６４の下面部６４ｄには、スライドベース２０の凹陥部２５側の先端部に設けられた固定片２０ｄが支持固定され、これによりブラケット６４を介して光学ピックアップ１５と磁気ヘッド１６とが一体的に構成されている。
【００３８】
一方、ステッピングモータ７０は，図示しないシャーシ側に固定されるモータブラケット７３に取り付けられており、このステッピングモータ７０を駆動して回転ねじ軸７１を回転させることにより、ねじ軸受７２の作動を介してその回転方向に応じて、ブラケット６４が回転ねじ軸７１の軸方向に往復移動することができる。その結果、保持装置１８を介して一体的に構成された光学ピックアップ１５及び磁気ヘッド１６が、光磁気ディスクの半径方向に往復移動する。
【００３９】
このとき、光学ピックアップ１５によって光磁気ディスクの情報記録面にレーザ光を照射する一方、この情報記録面に磁気ヘッド１６によって所定の外部磁界を印加することにより、この情報記録面に新たな情報信号を書き込む情報記録を行うことができ、或いはこの情報記録面に予め記録されている情報信号を読み出す情報再生を行うことができる。
【００４０】
このような構成を有する光磁気ピックアップ装置Ａの光学ピックアップ１５を製造する等に際して、スライドベース２０に取り付けられる光検出器２３の取付位置が適当でない場合には、光磁気ディスクからの反射光であるフォーカス検出信号を正しく検出できなくなる。そのため、かかる場合には光検出器２３の取付位置を反射光の光路方向であるＺ軸方向に調整する必要がある。
【００４１】
この光検出器２３のＺ軸調整は、例えば、次のようにして簡単に行うことができる。即ち、固定ネジ７８を弛めて押え板６０ｂの押圧力を解除した後、光検出器２３をＺ軸方向に前進又は後退移動させるだけで良いのである。この場合、固定ネジ７８を弛めると、光検出器２３を検出器ホルダ５８を介して保持している調整ホルダ５９の筒軸体５９ｂを押圧している押え板６０ｂの押圧力が解除されるため、調整ホルダ５９をＺ軸方向に移動させて光検出器２３の位置調整を行うようにする。その調整後、固定ネジ７８を締め付けて押え板６０ｂの押圧力を調整ホルダ５９の筒軸体５９ｂに加えることにより、光検出器２３が所定位置に固定されてＺ軸調整が完了する。
【００４２】
このとき、押え板６０ｂで筒軸体５９ｂを押圧すると、スライドベース２０の取付穴７７の下半部７７ｂがＶ字状をなしていてその両面に筒軸体５９ｂの下面部の２箇所が押圧され、その状態で押え板６０ｂによって上から押さえられるため、筒軸体５９ｂを常に所定位置で固定することができる。従って、この調整ホルダ５９に検出器ホルダ５８を介して一体に固定されている光検出器２３の中心を常に所定位置に設定することができ、Ｚ軸調整による光検出器２３の位置ずれを生じることがない。
【００４３】
しかも、このＺ軸調整は、固定ネジ７８を回して光検出器２３を進退移動させるだけで良いため、調整時間の大幅な短縮化を図ることができると共に、Ｚ軸のみの調整が可能であってＸＹ軸方向の位置精度に影響を与えることがない。従って、従来の調整方式よりも品質を安定させることができ、精度の向上と調整の容易化を達成することができる。
【００４４】
以上説明したが、本発明は上記実施の例に限定されるものではなく、例えば、上記実施の例においては、情報記録媒体として光磁気ディスクを使用した光磁気記録再生装置に用いられる光磁気ピックアップ装置について説明したが、光ディスクを光学記録媒体として用いる記録再生両用の光学ピックアップ装置、或いは記録又は再生専用の光学ピックアップ装置に適用することができることは勿論である。更に、光学系の構成についても上記実施の例に限定されるものではなく、例えばコリメータレンズや凹レンズ等の部品を必要に応じて加えて構成することができる。
【００４５】
また、上記実施の例では、２軸アクチュエータの構造として板バネ方式のものを用いて説明したが、これに代えて、弾性を持った４本のワイヤでリンク機構を形成して対物レンズを有する可動部を支持するワイヤ支持方式、弾性を持った合成樹脂でヒンジのリンク機構と回転部分を形成して可動部を支持するヒンジ方式等の他の構成のものを適用することもできる。このように、本発明は、その趣旨を逸脱しない範囲で種々変更できるものである。
【００４６】
【発明の効果】
以上説明したように、本発明の光学ピックアップ装置によれば、光検出器と検出器ホルダと調整ホルダとを設け、調整ホルダを介して光検出器を反射光の光路方向に位置調整可能に設ける構成としたため、光検出器の中心を常に所定位置に保持した状態でＺ軸方向の調整を行うことができると共に、このＺ軸調整による位置すれを光検出器に生じることがなく、精度の高いＺ軸調整を行うことができる。しかも、固定ネジを回して光検出器を進退移動させるだけでＺ軸調整を行うことができ、調整時間の大幅な短縮化を図ることができると共に、Ｚ軸のみの調整が可能であってその調整がＸＹ軸方向の位置精度に影響を与えることがないため、従来の調整方式よりも品質を安定させることができ、精度の向上と調整の容易化を達成することができるという効果が得られる。
【図面の簡単な説明】
【図１】本発明の実施の一例を示すもので、光学ピックアップと磁気ヘッドとを備えた光磁気ピックアップ装置の外観斜視図である。
【図２】本発明の実施の一例に係る光学ピックアップの平面図である。
【図３】本発明の実施の一例に係る光学ピックアップの底面図である。
【図４】本発明の実施の一例に係る光学ピックアップの底面側の要部を示す斜視図である。
【図５】本発明の実施の一例に係る光学ピックアップの２軸アクチュエータを示す斜視図である。
【図６】本発明の実施の一例に係る光学ピックアップの光学系の説明図である。
【図７】本発明の実施の一例に係る光学ピックアップの光検出器と検出器ホルダと調整ホルダを示す分解斜視図である。
【図８】図４のＸ−Ｘ線部分を断面して示す説明図である。
【図９】従来の光学ピックアップを示す平面図である。
【図１０】従来の光学ピックアップを側面から見た説明図である。
【図１１】従来の光学ピックアップの光検出器の取付構造を示す説明図である。
【符号の説明】
１５  光学ピックアップ、  １６  磁気ヘッド、  １７  対物レンズ、  １８保持装置、  １９ａ，１９ｂ  ガイド軸、  ２０  スライドベース、  ２１  ２軸アクチュエータ、  ２２  半導体レーザ、  ２３  光検出器、  ２４  光学系要素、  ２６  光通路、  ４０  グレーティング、  ４１  ビームスプリッタ板、  ４２  プリズムミラー、  ４３  マルチレンズ、  ５８  検出器ホルダ、５９  調整ホルダ、  ６０  カバープレート、  ６０ａ  押え板、  ７７  取付穴、  Ａ  光磁気ピックアップ装置（光学ピックアップ装置）
【図１】
0003861403.tif 000002
【図２】
0003861403.tif 000003
【図３】
0003861403.tif 000004
【図４】
0003861403.tif 000005
【図５】
0003861403.tif 000006
【図６】
0003861403.tif 000007
【図７】
0003861403.tif 000008
【図８】
0003861403.tif 000009
【図９】
0003861403.tif 000010
【図１０】
0003861403.tif 000011
【図１１】
0003861403.tif 000012